(57)【要約】  【課題】ネットワーク間の通信品質に影響を与えることなく中継装置の省電力化を図る。  【解決手段】中継装置１は、ＷＡＮインターフェース部１０１およびＬＡＮインターフェース部１０２のリンク状態・リンク速度の差異に応じて、ＷＡＮインターフェース部１０１およびＬＡＮインターフェース部１０２のリンク状態・リンク速度を制御する。例えば、ＷＡＮインターフェース部１０１のリンク速度（ＷＡＮリンク速度）およびＬＡＮインターフェース部１０２のリンク速度（ＬＡＮリンク速度）の低い方を固定とした場合に、ＷＡＮインターフェース部１０１およびＬＡＮインターフェース部１０２が取り得るリンク速度の組合せにおいて両者の差分が最小となるように、ＷＡＮリンク速度およびＬＡＮリンク速度の一方を低下させる。【選択図】図２
2010141426.tif 000002
【特許請求の範囲】
【請求項１】
第一のネットワークおよび第二のネットワーク間を中継する中継装置であって、
前記第一のネットワークと通信するための第一のネットワークインターフェース手段と、
前記第二のネットワークと通信するための少なくとも一つの第二のネットワークインターフェース手段と、
前記第一のネットワークインターフェース手段および前記第二のネットワークインターフェース手段の稼動状態を監視する監視手段と、
前記第一のネットワークインターフェース手段および前記第二のネットワークインターフェース手段の稼動状態の差異に応じて、前記第一のネットワークインターフェース手段および前記第二のネットワークインターフェース手段を制御する制御手段と、を有する
ことを特徴とする中継装置。
【請求項２】
請求項１に記載の中継装置であって、
前記制御手段は、
前記第一のネットワークインターフェース手段のリンク速度と、前記第二のネットワークインターフェース手段のリンク速度の合計値との差分が小さくなるように、一方の前記ネットワークインターフェース手段のリンク速度を低下させる
ことを特徴とする中継装置。
【請求項３】
請求項１又は２に記載の中継装置であって、
前記制御手段は、
前記第二のネットワークインターフェース手段がすべてリンクダウンしている場合に、前記第一のネットワークインターフェース手段をリンクダウンさせる
ことを特徴とする中継装置。
【請求項４】
請求項３に記載の中継装置であって、
通信端末と通信するための少なくとも一つの端末インターフェース手段をさらに備え、
前記監視手段は、
前記端末インターフェース手段の稼動状態をさらに監視し、
前記制御手段は、
前記第二のネットワークインターフェース手段がすべてリンクダウンしている場合でも、前記端末インターフェース手段の少なくとも一つが稼働中であるならば、前記第一のネットワークインターフェース手段をリンクダウンさせることなく、前記第一のネットワークインターフェース手段のリンク速度を所定のリンク速度まで低下させる
ことを特徴とする中継装置。
【請求項５】
請求項４に記載の中継装置であって、
周囲照度を計測する照度計測手段をさらに有し、
前記制御手段は、
周囲照度が所定値以下であり、且つ前記第一のネットワークインターフェース手段が通信中でない場合に、前記第二のネットワークインターフェース手段をすべてリンクダウンさせる
ことを特徴とする中継装置。
【請求項６】
請求項５に記載の中継装置であって、
前記制御手段は、
周囲照度が前記所定値以下であり、且つ前記第一のネットワークインターフェース手段が通信中でない場合において、すべての前記端末インターフェース手段が稼働中でないならば、前記第一のネットワークインターフェース手段をリンクダウンさせ、前記端末インターフェース手段の少なくとも一つが稼働中であるならば、前記第一のネットワークインターフェース手段のリンク速度を所定のリンク速度まで低下させる
ことを特徴とする中継装置。
【請求項７】
請求項４乃至６の何れか一項に記載の中継装置であって、
前記制御手段は、
前記第一のネットワークインターフェース手段がリンクダウンしている場合に、すべての前記第二のネットワークインターフェース手段および前記端末インターフェースの稼動を停止する
ことを特徴とする中継装置。
【発明の詳細な説明】
【技術分野】
【０００１】
本発明は、中継装置に関し、特に中継装置の省電力技術に関する。
【背景技術】
【０００２】
特許文献１にはＬＡＮボードの省電力技術が開示されている。
【０００３】
この技術においては、コンピュータは、省電力モードに移行すると、ＬＡＮボードのリンク速度を、コンピュータと外部機器との双方が通信可能な最低速度に変更する。このようにすることで、通信速度を高くする必要がないコンピュータの省電力モード時におけるＬＡＮボードの消費電力を低減する。
【特許文献１】特開２００１−１５４７６３号公報
【発明の開示】
【発明が解決しようとする課題】
【０００４】
特許文献１に記載の省電力技術は、ネットワークのエンドポイントで使用される端末への適用を前提とし、端末自体の省電力モードへの切り替えをトリガとしてＬＡＮボードのリンク速度を変更している。このため、ネットワーク間の中継を行う中継装置にこの省電力技術を適用すると、ネットワーク間の通信品質に影響を与える可能性がある。
【０００５】
本発明は上記事情に鑑みてなされたものであり、本発明の目的は、ネットワーク間の通信品質に影響を与えることなく、中継装置の省電力化を図れる技術を提供することにある。
【課題を解決するための手段】
【０００６】
上記課題を解決するために、本発明の中継装置は、ネットワークインターフェース間のリンク状態の差異に応じて、各ネットワークインターフェースの動作を制御する。
【０００７】
例えば、本発明の中継装置は、第一のネットワークおよび第二のネットワーク間を中継する中継装置であって、
前記第一のネットワークと通信するための第一のネットワークインターフェース手段と、
前記第二のネットワークと通信するための少なくとも一つの第二のネットワークインターフェース手段と、
前記第一のネットワークインターフェース手段および前記第二のネットワークインターフェース手段の稼動状態を監視する監視手段と、
前記第一のネットワークインターフェース手段および前記第二のネットワークインターフェース手段の稼動状態の差異に応じて、前記第一のネットワークインターフェース手段および前記第二のネットワークインターフェース手段を制御する制御手段と、を有する。
【０００８】
ここで、前記制御手段は、
前記第一のネットワークインターフェース手段のリンク速度と、前記第二のネットワークインターフェース手段のリンク速度の合計値との差分が小さくなるように、一方の前記ネットワークインターフェース手段のリンク速度を低下させるものでもよい。
【発明の効果】
【０００９】
本発明によれば、ネットワークインターフェース手段間のリンク状態等の稼動状態の差異に応じて、各ネットワークインターフェース手段の動作を制御するので、ネットワーク間の通信品質に影響を与えることなく、中継装置の省電力化を図ることができる。
【発明を実施するための最良の形態】
【００１０】
以下、本発明の実施の形態を説明する。
［第一実施の形態］
図１は、本発明の第一実施の形態に係る中継装置１を含む通信システムの概略図である。
【００１１】
図示するように、本実施の形態に係る中継装置１は、ＬＡＮ６を介してＰＣ（Ｐｅｒｓｏｎａｌ  Ｃｏｍｐｕｔｅｒ）等のＩＰ端末３を収容するとともに、アナログ電話線７を介してアナログ電話機あるいはＦＡＸ（以下、アナログ電話機等と呼ぶ）４を収容する。そして、中継装置１は、自中継装置１が収容するＩＰ端末３およびアナログ電話機等４を、ＯＮＵ（Ｏｐｔｉｃａｌ  Ｎｅｔｗｏｒｋ  Ｕｎｉｔ）等の回線終端装置２を介して、光ファイバ通信加入者網等のＷＡＮ５に接続する。
【００１２】
図２は、本発明の第一実施の形態に係る中継装置１の概略構成図である。
【００１３】
図示するように、中継装置１は、ＷＡＮインターフェース部１０１と、ＬＡＮインターフェース部１０２と、ＦＸＳ（Ｆｏｒｅｉｇｎ  Ｅｘｃｈａｎｇｅ  Ｓｕｂｓｃｒｉｂｅｒ）インターフェース部１０３と、データバッファ部１０４と、モード設定受付部１０５と、状態表示部１０６と、構成情報記憶部１０７と、主制御部１０８と、これ等の各部１０１〜１０８を相互接続する内部バス１０９と、を有する。
【００１４】
ＷＡＮインターフェース部１０１は、回線終端装置２を介してＷＡＮ５とデータの送受信を行うためのインターフェースである。オートネゴシエーション機能を備え、１Ｇｂｐｓ、１００Ｍｂｐｓ、１０Ｍｂｐｓ等の複数のリンク速度で通信を行うことができる。
【００１５】
ＬＡＮインターフェース部１０２は、ＬＡＮ６を介してＩＰ端末３とデータの送受信を行うためのインターフェースである。ＷＡＮインターフェース部１０１と同様に、オートネゴシエーション機能を備え、１Ｇｂｐｓ、１００Ｍｂｐｓ、１０Ｍｂｐｓ等の複数のリンク速度で通信を行うことができる。なお、図１では、ＬＡＮインターフェース部１０２を複数示しているが、ＬＡＮインターフェース部１０２は一つであってもよい。
【００１６】
ＦＸＳインターフェース部１０３、アナログ電話線７を介してアナログ電話機等４とデータの送受信を行うためのインターフェースである。１４．４ｋｂｐｓ等の所定の通信速度で通信を行う。なお、図１では、ＦＸＳインターフェース部１０３を一つ示しているが、ＦＸＳインターフェース部１０３は複数あってもよい。
【００１７】
データバッファ部１０４は、中継対象のデータを一時的に格納する。
【００１８】
モード設定受付部１０５は、ユーザより、スイッチ等を介して、省電力モードの有効・無効の手動設定と、ＬＡＮインターフェース部１０２およびＦＸＳインターフェース部１０３の有効・無効の手動設定と、を受け付ける。
【００１９】
状態表示部１０６は、自中継装置１の電力モード、および各インターフェース部１０１〜１０３の稼動状態を含む現在の状態をＬＥＤ等により表示する。
【００２０】
構成情報記憶部１０７は、省電力モードが有効である場合における、ＷＡＮインターフェース部１０１、ＬＡＮインターフェース部１０２、およびＦＸＳインターフェース部１０３に対する制御情報と、この制御情報を実施するための条件（ＷＡＮインターフェース部１０１、ＬＡＮインターフェース部１０２、およびＦＸＳインターフェース部１０３の通信状態・リンク状態等の稼動状態）との対応関係が登録されている。
【００２１】
主制御部１０８は、ＷＡＮインターフェース部１０１、ＬＡＮインターフェース部１０２、あるいはＦＸＳインターフェース部１０３により受信したデータをデータバッファ部１０４に一時格納するとともに、データバッファ部１０４からデータを読み出して、このデータを、その宛先に対応するＷＡＮインターフェース部１０１、ＬＡＮインターフェース部１０２、あるいはＦＸＳインターフェース部１０３から送信する。
【００２２】
また、主制御部１０８は、省電力モードが有効である場合に、ＷＡＮインターフェース部１０１、ＬＡＮインターフェース部１０２、およびＦＸＳインターフェース部１０３の稼動状態（リンク状態、通信状態等）を監視する。そして、これらの稼動状態に応じた制御情報を構成情報記憶部１０７から読み出して、読み出した制御情報に従いＷＡＮインターフェース部１０１、ＬＡＮインターフェース部１０２、およびＦＸＳインターフェース部１０３を制御する。
【００２３】
また、主制御部１０８は、モード設定受付部１０５で「無効」に手動設定されているＬＡＮインターフェース部１０２、ＦＸＳインターフェース部１０３を無効にする。
【００２４】
図３は、図２に示す中継装置１の電力制御を説明するためのフロー図である。
【００２５】
先ず、主制御部１０８は、モード設定受付部１０５でユーザから受け付けた省電力モードの設定内容を確認する（Ｓ１０１）。
【００２６】
省電力モードが「無効」に手動設定されている場合は（Ｓ１０２でＮＯ）、主制御部１０８は、通常電力モードで動作中である旨を状態表示部１０６に表示し（Ｓ１０５）、それから、通常電力モードで自中継装置１を動作させる（Ｓ１０６）。
【００２７】
通常電力モードにおいて、主制御部１０８は、ＷＡＮインターフェース部１０１を、オートネゴシエーション機能により確立されたリンク速度でＷＡＮ５と通信を行うように動作させる。また、主制御部１０８は、ＬＡＮインターフェース部１０２を、オートネゴシエーション機能により確立されたリンク速度でＩＰ端末３と通信を行うように動作させる。
【００２８】
一方、省電力モードが「有効」に手動設定されている場合は（Ｓ１０２でＹＥＳ）、主制御部１０８は、省電力モードで動作中である旨を状態表示部１０６に表示し（Ｓ１０３）、それから、後述する省電力モードで自中継装置１を動作させる（Ｓ１０４）。
【００２９】
図４および図５は、構成情報記憶部１０７の構成情報にしたがい実行される、中継装置１の省電力モードでの動作（図３のＳ１０４）を説明するためのフロー図である。
【００３０】
先ず、主制御部１０８は、ＷＡＮインターフェース部１０１のリンク状態を確認する（Ｓ１０４１）。そして、ＷＡＮインターフェース部１０１がリンクダウンしているならば（Ｓ１０４２でＮＯ）、主制御部１０８は、モード設定受付部１０５で「有効」に手動設定されているＬＡＮインターフェース部１０２、ＦＸＳインターフェース部１０３のすべてを無効にして（Ｓ１０４３）、このフローを終了する。
【００３１】
一方、ＷＡＮインターフェース部１０１がリンクアップしているならば（Ｓ１０４２でＹＥＳ）、主制御部１０８は、モード設定受付部１０５で「有効」に手動設定されているＬＡＮインターフェース部１０２、ＦＸＳインターフェース部１０３であって、Ｓ１０４３により無効にされているものがあるならば、これらを有効にするとともに（Ｓ１０４４）、ＷＡＮインターフェース部１０１のリンク速度を確認する（Ｓ１０４５）。
【００３２】
次に、主制御部１０８は、モード設定受付部１０５でユーザから受け付けた各ＬＡＮインターフェース部１０２の設定内容を確認する（Ｓ１０４６）。すべてのＬＡＮインターフェース部１０２が「無効」に手動設定されているならば（Ｓ１０４６でＮＯ）、Ｓ１０４９に進む。
【００３３】
一方、少なくとも一つのＬＡＮインターフェース部１０２が「有効」に手動設定されているならば（Ｓ１０４６でＹＥＳ）、「有効」に手動設定されているＬＡＮインターフェース部１０２のリンク状態を確認する（Ｓ１０４７）。そして、「有効」に手動設定されているＬＡＮインターフェース部１０２がすべてリンクダウンしているならば（Ｓ１０４８でＮＯ）、Ｓ１０４９に進み、「有効」に手動設定されているＬＡＮインターフェース部１０２の少なくとも一つがリンクアップしているならば（Ｓ１０４８でＹＥＳ）、Ｓ１０５４（図５）に進む。
【００３４】
Ｓ１０４９において、主制御部１０８は、モード設定受付部１０５でユーザから受け付けた各ＦＸＳインターフェース部１０３の設定内容を確認する。すべてのＦＸＳインターフェース部１０３が「無効」に手動設定されているならば（Ｓ１０４９でＮＯ）、主制御部１０８は、ＷＡＮインターフェース部１０１をリンクダウンさせて（Ｓ１０５０）、このフローを終了する。
【００３５】
一方、少なくとも一つのＦＸＳインターフェース部１０３が「有効」に手動設定されているならば（Ｓ１０４９でＹＥＳ）、「有効」に手動設定されているＦＸＳインターフェース部１０３の通信状態を確認する（Ｓ１０５１）。そして、主制御部１０８は、「有効」に手動設定されているＦＸＳインターフェース部１０３のすべてが通信中でないことを確認し（Ｓ１０５２）、それから、ＷＡＮインターフェース部１０１のリンク速度を最低レベルにダウンさせて（Ｓ１０５３）、このフローを終了する。
【００３６】
例えば、ＷＡＮインターフェース部１０１がオートネゴシエーション機能により、１Ｇｂｐｓ、１００Ｍｂｐｓ、１０Ｍｂｐｓの３つのレベルのリンク速度で通信を行うことができる場合、Ｓ１０５３において、主制御部１０８は、ＷＡＮインターフェース部１０１のリンク速度を最低レベルの１０Ｍｂｐｓに変更する。但し、ＷＡＮインターフェース部１０１の最低レベルのリンク速度は、少なくともＦＸＳインターフェース部１０３に接続されたアナログ電話機等４が問題なくＷＡＮ５と通信できるリンク速度に設定されている必要がある。
【００３７】
一方、Ｓ１０５４において、主制御部１０８は、リンクアップしているＬＡＮインターフェース部１０２のリンク速度を確認する（Ｓ１０５４）。
【００３８】
次に、主制御部１０８は、リンクアップしているＬＡＮインターフェース部１０２のリンク速度の合計値（ＬＡＮリンク速度と呼ぶ）を、Ｓ１０４５で確認したＷＡＮインターフェース部１０１のリンク速度（ＷＡＮリンク速度と呼ぶ）と比較する。そして、ＷＡＮリンク速度およびＬＡＮリンク速度の何れか低い方を固定とした場合に、ＷＡＮインターフェース部１０１およびＬＡＮインターフェース部１０２が取り得るリンク速度の組合せにおいて、両者の差分（ＷＡＮリンク速度−ＬＡＮリンク速度）が最小（但し、ＷＡＮリンク速度−ＬＡＮリンク速度≧０）になっているか否かを判断する（Ｓ１０５５）。
【００３９】
例えば、ＷＡＮインターフェース部１０１およびＬＡＮインターフェース部１０２がオートネゴシエーション機能により、１Ｇｂｐｓ、１００Ｍｂｐｓ、１０Ｍｂｐｓの３つのレベルのリンク速度で通信を行うことができるものとする。また、リンクアップしているＬＡＮインターフェース部１０２が５つであるとする。
【００４０】
ここで、ＷＡＮリンク速度が１００Ｍｂｐｓ、ＬＡＮリンク速度が５００Ｍｂｐｓ（１００Ｍｂｐｓ×５）であるとする。ＬＡＮリンク速度よりも小さいＷＡＮリンク速度の方を固定とした場合に、ＷＡＮリンク速度−ＬＡＮリンク速度が最小（但し、ＷＡＮリンク速度−ＬＡＮリンク速度≧０）となる組合せは、ＷＡＮリンク速度が１００Ｍｂｐｓ、ＬＡＮリンク速度が５０Ｍｂｐｓ（１０Ｍｂｐｓ×５）である。したがって、この場合（ＷＡＮリンク速度：１００Ｍｂｐｓ、ＬＡＮリンク速度：５００Ｍｂｐｓ）は、両者の差分（ＷＡＮリンク速度−ＬＡＮリンク速度）が最小（但し、ＷＡＮリンク速度−ＬＡＮリンク速度≧０）になっていないと判断する。
【００４１】
また、上記の場合において、ＷＡＮリンク速度が１Ｇｂｐｓ、ＬＡＮリンク速度が５０Ｍｂｐｓ（１０Ｍｂｐｓ×５）であるとする。ＷＡＮリンク速度よりも小さいＬＡＮリンク速度の方を固定とした場合に、ＷＡＮリンク速度−ＬＡＮリンク速度が最小（但し、ＷＡＮリンク速度−ＬＡＮリンク速度≧０）となる組合せは、ＷＡＮリンク速度が１００Ｍｂｐｓ、ＬＡＮリンク速度が５０Ｍｂｐｓ（１０Ｍｂｐｓ×５）である。したがって、この場合（ＷＡＮリンク速度：１Ｇｂｐｓ、ＬＡＮリンク速度：５０Ｍｂｐｓ）も、両者の差分（ＷＡＮリンク速度−ＬＡＮリンク速度）が最小（但し、ＷＡＮリンク速度−ＬＡＮリンク速度≧０）になっていないと判断する。
【００４２】
ＷＡＮリンク速度とＬＡＮリンク速度との差分が最小（但し、ＷＡＮリンク速度−ＬＡＮリンク速度≧０）になっているならば（Ｓ１０５５でＹＥＳ）、主制御部１０８は、ＷＡＮインターフェース部１０１およびリンクアップしているＬＡＮインターフェース部１０２のリンク速度を変更することなく、このフローを終了する。
【００４３】
一方、ＷＡＮリンク速度とＬＡＮリンク速度との差分が最小（但し、ＷＡＮリンク速度−ＬＡＮリンク速度≧０）になっていない場合（Ｓ１０５５でＮＯ）、主制御部１０８は、ＷＡＮリンク速度＞ＬＡＮリンク速度ならば（Ｓ１０５６でＮＯ）、Ｓ１０５８に進み、ＷＡＮリンク速度＜ＬＡＮリンク速度ならば（Ｓ１０５６でＹＥＳ）、リンクアップしている少なくとも一つのＬＡＮインターフェース部１０２のリンク速度を１レベルダウンさせて（Ｓ１０５７）、このフローを終了する。例えば、リンクアップしているＬＡＮインターフェース部１０２のうち、最も高いリンク速度で動作しているＬＡＮインターフェース部１０２（複数ある場合はそのなかの一つ）のリンク速度を１レベルダウンさせる。
【００４４】
Ｓ１０５８において、主制御部１０８は、モード設定受付部１０５でユーザから受け付けた各ＦＸＳインターフェース部１０３の設定内容を確認する。
【００４５】
すべてのＦＸＳインターフェース部１０３が「無効」に手動設定されているならば（Ｓ１０５８でＮＯ）、主制御部１０８は、ＷＡＮインターフェース部１０１のリンク速度を１レベルダウンさせて（Ｓ１０６１）、このフローを終了する。
【００４６】
一方、少なくとも一つのＦＸＳインターフェース部１０３が「有効」に手動設定されているならば（Ｓ１０５８でＹＥＳ）、主制御部１０８は、「有効」に手動設定されているＦＸＳインターフェース部１０３の通信状態を確認する（Ｓ１０５９）。そして、主制御部１０８は、「有効」に手動設定されているＦＸＳインターフェース部１０３のすべてが通信中でないことを確認し（Ｓ１０６０）、それから、ＷＡＮインターフェース部１０１のリンク速度を１レベルダウンさせて（Ｓ１０６１）、このフローを終了する。
【００４７】
以上、本発明の第一実施の形態について説明した。
【００４８】
本実施の形態の中継装置１は、ＷＡＮインターフェース部１０１およびＬＡＮインターフェース部１０２のリンク状態・リンク速度の差異に応じて、ＷＡＮインターフェース部１０１およびＬＡＮインターフェース部１０２のリンク状態・リンク速度を制御する。このため、本実施の形態によれば、ＷＡＮ５およびＩＰ端末３間の通信品質に影響を与えることなく、中継装置１の省電力化を図ることができる。
【００４９】
また、本実施の形態の中継装置１は、ＷＡＮリンク速度およびＬＡＮリンク速度の低い方を固定とした場合に、ＷＡＮインターフェース部１０１およびＬＡＮインターフェース部１０２が取り得るリンク速度の組合せにおいて、両者の差分（ＷＡＮリンク速度−ＬＡＮリンク速度）が最小（但し、ＷＡＮリンク速度−ＬＡＮリンク速度≧０）となるように、ＷＡＮリンク速度およびＬＡＮリンク速度の一方を低下させる。このため、本実施の形態によれば、ＷＡＮインターフェース部１０１およびＬＡＮインターフェース部１０２を、ＷＡＮ５およびＩＰ端末３間の通信品質に影響を与えない必要最小限のリンク速度で動作させることができるので、より効率よく中継装置１の省電力化を図ることができる。
【００５０】
また、本実施の形態の中継装置１は、ＬＡＮインターフェース部１０２がすべてリンクダウンしている場合に、ＷＡＮインターフェース部１０１をリンクダウンさせる。このため、本実施の形態によれば、ＷＡＮ５およびＩＰ端末３間の通信ができない場合における、ＷＡＮインターフェース部１０１の消費電力をさらに低減することができる。
【００５１】
また、本実施の形態の中継装置１は、ＬＡＮインターフェース部１０２がすべてリンクダウンしている場合でも、ＦＸＳインターフェース部１０３の少なくとも一つが稼働中であるならば、ＷＡＮインターフェース部１０１をリンクダウンさせることなく、リンク速度を最低レベルにダウンさせる。ここで、ＷＡＮインターフェース部１０１の最低レベルのリンク速度は、少なくともＦＸＳインターフェース部１０３に接続されているアナログ電話機等４が問題なくＷＡＮ５と通信できるリンク速度に設定されている。このため、本実施の形態によれば、ＷＡＮ５およびアナログ電話機等４間の通信品質に影響を与えない必要最小限のリンク速度でＷＡＮインターフェース部１０１を動作させることができるので、より効率よく中継装置１の省電力化を図ることができる。
【００５２】
また、本実施の形態の中継装置１は、ＷＡＮインターフェース部１０１のリンク速度を低下させる場合において、ＦＸＳインターフェース部１０３の少なくとも一つが通信中であるならば、この通信終了後にＷＡＮインターフェース部１０１のリンク速度を低下させる。このため、本実施の形態によれば、ＷＡＮ５およびアナログ電話機等４間の通信を中断することなく、中継装置１の省電力化を図ることができる。
【００５３】
また、本実施の形態の中継装置１は、ＷＡＮインターフェース部１０１がリンクダウンしている場合に、すべてのＬＡＮインターフェース部１０２およびＦＸＳインターフェース部１０３を自動的に無効にする。このため、本実施の形態によれば、ＷＡＮ５との通信ができない場合における、ＬＡＮインターフェース部１０２およびＦＸＳインターフェース部１０３の消費電力をさらに低減することができる。
［第二実施の形態］
図６は、本発明の第二実施の形態に係る中継装置１Ａの概略構成図である。
【００５４】
図示するように、本実施の形態に係る中継装置１Ａが図２に示す第一実施の形態に係る中継装置１と異なる点は、周囲の明るさ（照度）を検出する照度センサ部１１０を設けたこと、および主制御部１０８に代えて主制御部１０８Ａを設けたことである。
【００５５】
主制御部１０８Ａは、第一実施の形態に係る中継装置１の主制御部１０８の動作に加え、照度センサ部１１０で検出される照度に応じて省電力のための制御を行う。
【００５６】
本実施の形態に係る中継装置１Ａの電力制御は、図４および図５に示す第一実施の形態に係る中継装置１の省電力モードでの動作（図３のＳ１０４）におけるＳ１０４８でＹＥＳの場合とＳ１０５４との間に、図７に示すフローが追加される。その他の動作は、第一実施の形態に係る中継装置１の動作と同様である。
【００５７】
図７に示すように、図４のＳ１０４８がＹＥＳの場合、主制御部１０８Ａは、ＷＡＮインターフェース部１０１の通信状態を確認する（Ｓ１０７１）。ＷＡＮインターフェース部１０１が通信中である場合は（Ｓ１０７２でＹＥＳ）、図５のＳ１０５４へ進む。一方、ＷＡＮインターフェース部１０１が通信中でない場合（Ｓ１０７２でＮＯ）、主制御部１０８Ａは、照度センサ部１１０で検出された周囲照度を所定の基準値と比較する（Ｓ１０７３）。ここで、所定の基準値は、照度センサ部１１０で検出された周囲照度から、部屋内が消灯されて誰もいない状態を検出するためのものである。例えば、この所定の基準値は、夜間に部屋の明かりを消した場合の部屋内の周囲照度に基づいて定められる。
【００５８】
照度センサ部１１０で検出された周囲照度が所定の基準値より大きい場合は（Ｓ１０７４でＮＯ）は、図５のＳ１０５４へ進む。一方、周囲照度が所定の基準値以下である場合は（Ｓ１０７４でＹＥＳ）、主制御部１０８Ａは、リンクアップされているすべてのＬＡＮインターフェース部１０２をリンクダウンさせる（Ｓ１０７５）。それから、主制御部１０８Ａは、モード設定受付部１０５でユーザから受け付けた各ＦＸＳインターフェース部１０３の設定内容を確認し、すべてのＦＸＳインターフェース部１０３が「無効」に手動設定されているならば（Ｓ１０７６でＮＯ）、ＷＡＮインターフェース部１０１をリンクダウンさせる（Ｓ１０７７）。一方、少なくとも一つのＦＸＳインターフェース部１０３が「有効」に手動設定されているならば（Ｓ１０７６でＹＥＳ）、主制御部１０８Ａは、ＷＡＮインターフェース部１０１のリンク速度を最低レベルにダウンさせる（Ｓ１０７８）。その後、このフローを終了する。
【００５９】
なお、Ｓ１０７５において、主制御部１０８Ａが、状態表示部１０６のＬＥＤ等をすべて消灯させるようにしてもよい。
【００６０】
以上、本発明の第二実施の形態について説明した。
【００６１】
本実施の形態の中継装置１Ａは、周囲照度が所定の基準値以下であり、且つＷＡＮインターフェース部１０１が通信中でない場合に、リンクアップされているすべてのＬＡＮインターフェース部１０２をリンクダウンさせる。このため、本実施の形態によれば、就寝中などに利用される可能性の低い、ＩＰ端末３とＬＡＮ６を介して接続するＬＡＮインターフェース部１０２の消費電力をさらに低減することができる。
【００６２】
また、本実施の形態の中継装置１Ａは、周囲照度が所定の基準値以下であり、且つＷＡＮインターフェース部１０１が通信中でない場合でも、ＦＸＳインターフェース部１０３の少なくとも一つが稼働中であるならば、ＷＡＮインターフェース部１０１をリンクダウンさせることなく、リンク速度を最低レベルにダウンさせる。このため、本実施の形態によれば、ＷＡＮ５およびアナログ電話機等４間の通信品質に影響を与えない必要最小限のリンク速度でＷＡＮインターフェース部１０１を動作させることができるので、より効率よく中継装置１Ａの省電力化を図ることができる。
【００６３】
本実施の形態に係る中継装置１Ａのその他の効果は、第一実施の形態に係る中継装置１の効果と同様である。
【００６４】
以上、本発明の各実施の形態について説明した。
【００６５】
なお、本発明は上記の各実施の形態に限定されるものではなく、その要旨の範囲内で数々の変形が可能である。
【００６６】
例えば、上記の各実施の形態において、ＬＡＮインターフェース部１０２の少なくとも一つは、無線ＬＡＮに接続するためのインターフェースであってもよい。また、ＦＸＳインターフェース部１０３に代えて、あるいはＦＸＳインターフェース部１０３とともに、ＩＳＤＮ端末を接続するためのインターフェースを設けてもよい。あるいは、ＦＸＳインターフェース部１０３を省略してもかまわない。
【００６７】
また、例えば、上記の各実施の形態において、中継装置１、１Ａの構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよい。あるいは、ＤＳＰ（Ｄｉｇｉｔａｌ  Ｓｉｇｎａｌ  Ｐｒｏｃｅｓｓｏｒ）によりソフト的に実行されるものでもよい。もしくは、ＣＰＵ、メモリ、ＨＤＤ、ＤＶＤ−ＲＯＭ等の補助記憶装置、モデム、およびＮＩＣ（Ｎｅｔｗｏｒｋ  Ｉｎｔｅｒｆａｃｅ  Ｃａｒｄ）を備えたＰＣ等の汎用コンピュータにおいて、ＣＰＵが、所定のプログラムを補助記憶装置からメモリ上にロードして実行することにより実現されるものでもよい。
【図面の簡単な説明】
【００６８】
【図１】図１は、本発明の第一実施の形態に係る中継装置１を含む通信システムの概略図である。
【図２】図２は、本発明の第一実施の形態に係る中継装置１の概略構成図である。
【図３】図３は、図２に示す中継装置１の電力制御を説明するためのフロー図である。
【図４】図４は、本発明の第一実施の形態に係る中継装置１の省電力モードでの動作（図３のＳ１０４）を説明するためのフロー図である。
【図５】図５は、本発明の第一実施の形態に係る中継装置１の省電力モードでの動作（図３のＳ１０４）を説明するためのフロー図である。
【図６】図６は、本発明の第二実施の形態に係る中継装置１Ａの概略構成図である。
【図７】図７は、本発明の第二実施の形態に係る中継装置１Ａの省電力モードでの動作（図３のＳ１０４）を説明するためのフロー図である。
【符号の説明】
【００６９】
１、１Ａ：中継装置、２：回線終端装置、３：ＩＰ端末、４：アナログ電話機等、５：ＷＡＮ、６：ＬＡＮ、７：アナログ電話線、１０１：ＷＡＮインターフェース部、１０２：ＬＡＮインターフェース部、１０３：ＦＸＳインターフェース部、１０４：データバッファ部、１０５：モード設定受付部、１０６：状態表示部、１０７：構成情報記憶部、１０８、１０８Ａ：主制御部、１０９：内部バス、１１０：照度センサ部
【図１】
2010141426.tif 000003
【図２】
2010141426.tif 000004
【図３】
2010141426.tif 000005
【図４】
2010141426.tif 000006
【図５】
2010141426.tif 000007
【図６】
2010141426.tif 000008
【図７】
2010141426.tif 000009